(57)【要約】【課題】操作性に優れたバックパックを提供する。【解決手段】底壁１１と複数の側壁１２を有し、前記複数の側壁１２の上縁によって開口部１３が形成された第１収納部１０と、前記開口部１３を開放或いは閉塞可能とする蓋部２０と、背負い用の肩ベルト３０と、を備えたバックパックであって、前記蓋部２０の基端部は、前記第１収納部１０に接合されているとともに、前記蓋部２０の先端部は、前記複数の側壁１２のうちの後方側の側壁１２の上端部に係止可能とされており、前記蓋部２０は、前記後方側の側壁１２の上端部に係止されることにより、前記複数の側壁１２のうちの前記前方側の側壁１２を被覆するとともに前記開口部１３を閉塞する。【選択図】図１
2018102583.tif 000002
【特許請求の範囲】
【請求項１】
底壁と複数の側壁を有し、前記複数の側壁の上縁によって開口部が形成された第１収納部と、
前記開口部を開放或いは閉塞可能とする蓋部と、
背負い用の肩ベルトと、を備えたバックパックであって、
前記蓋部の基端部は、前記第１収納部に接合されているとともに、前記蓋部の先端部は、前記複数の側壁のうちの後方側の側壁の上端部に係止可能とされており、
前記蓋部は、前記後方側の側壁の上端部に係止されることにより、前記複数の側壁のうちの前記前方側の側壁を被覆するとともに前記開口部を閉塞することを特徴とするバックパック。
【請求項２】
底壁と複数の側壁を有し、前記複数の側壁の上縁によって開口部が形成された第１収納部と、
前記開口部を開放或いは閉塞可能とする蓋部と、
背負い用の肩ベルトと、を備えたバックパックであって、
前記肩ベルトは、前記第１収納部の上端部と下端部との間に架け渡されるように前記第１収納部の上端部及び下端部に接合されており、
前記蓋部の基端部は、前記第１収納部に接合されているとともに、前記蓋部の先端部は、前記肩ベルトの上端部に係止可能とされており、
前記蓋部は、前記肩ベルトの上端部に係止されることにより、前記複数の側壁のうちの前方側の側壁を被覆するとともに前記開口部を閉塞することを特徴とするバックパック。
【請求項３】
前記蓋部には、該蓋部を前記第１収納部の上端部から離間するように付勢する付勢部材が設けられている請求項１又は２に記載のバックパック。
【請求項４】
前記肩ベルトは、前記第１収納部の上端部と下端部との間に架け渡されるように前記第１収納部の上端部及び下端部に接合されており、
前記第１収納部の上端部における前記肩ベルトの接合位置を跨いだ領域には、前記肩ベルトが立ち上がるように補強する補強部が設けられている請求項１〜３のいずれか一項に記載のバックパック。
【請求項５】
前記後方側の側壁には、該後方側の側壁から後方に突出するように第２収納部が設けられている請求項１〜４のいずれか一項に記載のバックパック。
【請求項６】
前記肩ベルトには第３収納部が設けられている請求項１〜５のいずれか一項に記載のバックパック。
【発明の詳細な説明】
【技術分野】
【０００１】
本発明は、バックパックに関する。
【背景技術】
【０００２】
荷物を入れて背負うためのバックパックは、使用目的や使用者の嗜好等に合うように様々な改良がなされたものが提案されている。例えば、小学生が通学用に使用するランドセルでは、６年間の使用に耐えるような強度、背負ったときの負担を軽くする軽量化、幼い子供が操作しやすい操作性、教材を効率よく収納できる収納性、背負った感覚を良好とするフィット性、外観を良好とする装飾性等での改良がなされている。
【０００３】
特許文献１には、背負ったときにランドセルの背面が使用者の背中に密着して背負った感覚が良好となるように、肩ベルトの取付部の形状を改良したものが記載されている。また、特許文献２には、収納量の変化に対応できるように、被せ蓋の先端部に取り付けられた係止部を、ストッパー金具とスライドベルトによりアジャスター機構とすることが記載されている。
【先行技術文献】
【特許文献】
【０００４】
【特許文献１】特開２００４−３５８０１９号公報
【特許文献２】特開２００４−３５７７６６号公報
【発明の概要】
【発明が解決しようとする課題】
【０００５】
しかし、こうした様々な改良がなされる一方、ランドセルの形状そのものは古くから一定の形状に固定され、形状自体が大きく変更されるといったことはなかった。
一般的なランドセルとは、教材等を収納するための収納部が、底壁と４つの側壁とで形成されて側壁上縁が開口部とされ、開口部を閉塞するための蓋部が、後方側側壁の上端部に接合される形状となっている。そして、蓋部は、開口部と前方側側壁の全体を覆う長さに形成されており、係止部材によって、底壁に係止されて開口部を閉塞する。また、後方側側壁の上端部には、壁や机のフックに掛けられるようにするための掛止部材が設けられている。
【０００６】
こうした形状のランドセルを、例えば、壁に取り付けられたフックに掛けて内部の収納物を出し入れするような場合、蓋部を手で押さえている等、何らかの方法で蓋部を支持している必要があって不便である。特に一般的なランドセルでは、蓋部が前方側側壁の全体を覆う長さに形成されており、また、収納部が収納性を確保するために前後方向に厚みを持たせた形状となっている。そのため、蓋部の長さが長くなっており、蓋部の開閉時における操作性の問題がより顕著である。
【０００７】
そして、こうした操作性の問題は、荷物を入れて背負うためのバックパックに共通するものである。
本発明は、従来のこうした問題を解決するためになされたものであり、その目的は、操作性に優れたバックパックを提供することである。
【課題を解決するための手段】
【０００８】
上記課題を解決するため、本発明のバックパックは、底壁と複数の側壁を有し、前記複数の側壁の上縁によって開口部が形成された第１収納部と、前記開口部を開放或いは閉塞可能とする蓋部と、背負い用の肩ベルトと、を備えたバックパックであって、前記蓋部の基端部は、前記第１収納部に接合されているとともに、前記蓋部の先端部は、前記複数の側壁のうちの後方側の側壁の上端部に係止可能とされており、前記蓋部は、前記後方側の側壁の上端部に係止されることにより、前記複数の側壁のうちの前記前方側の側壁を被覆するとともに前記開口部を閉塞する。
【０００９】
上記の構成によれば、バックパックは、後方側の側壁の上端部での蓋部の係止を解除して開口部を開放することができる。開口部を開放したときには、蓋部は第１収納部の前方側に位置している。このため、例えば、平面状の壁に取り付けられたフックに掛けた状態で、バックパック内部の収納物を出し入れするような場合であっても、蓋部を支持することなく、蓋部を開放状態に保持することができる。壁に掛けた状態での収納物の出し入れが容易となり、バックパックの操作性を向上させることができる。
【００１０】
上記課題を解決するため、本発明のバックパックは、底壁と複数の側壁を有し、前記複数の側壁の上縁によって開口部が形成された第１収納部と、前記開口部を開放或いは閉塞可能とする蓋部と、背負い用の肩ベルトと、を備えたバックパックであって、前記肩ベルトは、前記第１収納部の上端部と下端部との間に架け渡されるように前記第１収納部の上端部及び下端部に接合されており、前記蓋部の基端部は、前記第１収納部に接合されているとともに、前記蓋部の先端部は、前記肩ベルトの上端部に係止可能とされており、前記蓋部は、前記肩ベルトの上端部に係止されることにより、前記複数の側壁のうちの前方側の側壁を被覆するとともに前記開口部を閉塞する。
【００１１】
上記の構成によれば、バックパックは、肩ベルトの上端部での蓋部の係止を解除して開口部を開放することができる。開口部を開放したときには、蓋部は第１収納部の前方側に位置している。このため、例えば、平面状の壁に取り付けられたフックに掛けて、バックパック内部の収納物を出し入れするような場合であっても、蓋部を支持することなく、蓋部を開放状態に保持することができる。壁に掛けた状態での収納物の出し入れが容易となり、バックパックの操作性を向上させることができる。
【００１２】
上記発明において、前記蓋部には、該蓋部を前記第１収納部の上端部から離間するように付勢する付勢部材が設けられていることが好ましい。
上記発明において、前記肩ベルトは、前記第１収納部の上端部と下端部との間に架け渡されるように前記第１収納部の上端部及び下端部に接合されており、前記第１収納部の上端部における前記肩ベルトの接合位置を跨いだ領域には、前記肩ベルトが立ち上がるように補強する補強部が設けられていることが好ましい。
【００１３】
上記発明において、前記後方側の側壁には、該後方側の側壁から後方に突出するように第２収納部が設けられていることが好ましい。
上記発明において、前記肩ベルトには第３収納部が設けられていることが好ましい。
【発明の効果】
【００１４】
本発明によれば、操作性に優れたバックパックを得ることができる。
【図面の簡単な説明】
【００１５】
【図１】本実施形態のバックパックを示す斜視図。（ａ）は、後方側の側壁側から見た斜視図、（ｂ）は、蓋部側から見た斜視図。
【図２】（ａ）、（ｂ）はバックパックの蓋部を開放した状態を示す斜視図。
【図３】肩ベルトの接合部分について説明する図。
【図４】第２収納部、及び蓋部について説明する模式図。（ａ）は側面の模式図、（ｂ）は、斜視模式図。
【図５】バックパックを背負った状態を示す図。（ａ）は、本実施形態のバックパックを背負った状態を示す図、（ｂ）は、従来のバックパック（ランドセル）を背負った状態を示す図。
【図６】バックパックの変更例を示す図。（ａ）は斜視図、（ｂ）は側面図。
【図７】バックパックの変更例を示す斜視図。
【発明を実施するための形態】
【００１６】
以下、本発明を具体化したバックパックについて、学童が通学用に使用するためのバックパックを例に挙げて説明する。
図１に示すように、本実施形態のバックパックは、教材等を収納可能な第１収納部１０と、第１収納部１０の上面及び一側面を覆う蓋部２０と、第１収納部１０の上端部と下端部との間に架け渡された肩ベルト３０とを備えている。ここで、バッグパックの前後、左右、上下方向を図１に示すように定義するものとする。つまり、バックパックを背負ったときに背中に当たる側を後方側とし、蓋部２０で覆われる側を前方側とする。
【００１７】
バックパックの材質は、特に限定されず、強度、重量、手触り等、要求される性質に合わせて適宜選択することができる。例えば、ポリアミド樹脂、ポリエステル樹脂等の合成繊維からなる布帛、綿、麻、毛等の天然繊維からなる布帛、皮革、カーボン布帛等が挙げられる。本実施形態の第１収納部１０は、樹脂板材を芯材とし、ポリアミド樹脂からなる布帛で被覆したものを使用している。また、本実施形態の蓋部２０、及び肩ベルト３０は、軟質のウレタンシートを芯材とし、ポリアミド樹脂からなる布帛で被覆したものを使用している。
【００１８】
図１、図２に示すように、第１収納部１０は、略矩形状の底壁１１と、底壁１１の周縁から立設される４つの側壁１２を有する略直方体形状に形成されている。ここでは、４つの側壁１２のうち、前方側の側壁１２を前方壁１２ａ、後方側の側壁１２を後方壁１２ｂ、左右両側の側壁１２を側方壁１２ｃと言うものとする。図２（ａ）、（ｂ）に示すように、本実施形態の第１収納部１０は、前方壁１２ａが、後方壁１２ｂより低く形成されている。そして、側方壁１２ｃの上縁は、前方壁１２ａの上縁における左右の端部と後方壁１２ｂの上縁における左右の端部との各間を繋ぐように、上方に向かって丸みを帯びて突出する曲線状に形成されている。側方壁１２ｃの上部には、内方へ向かう延出壁１２ｄが、側方壁１２ｃの前後方向全体に亘って形成されている。また、各壁１２ａ、１２ｂ、１２ｃの上縁、具体的には、前方壁１２ａの上縁、後方壁１２ｂの上縁、及び側方壁１２ｃの延出壁１２ｄの端縁により、開口部１３が形成されている。
【００１９】
図１（ａ）に示すように、後方壁１２ｂの外面下部には、後方壁１２ｂの略半分の大きさの第２収納部１５が設けられている。図４（ａ）に示すように、第２収納部１５は、第１収納部１０の後方壁１２ｂから後方へ突出しており、前後方向に所定の厚みを有している。第２収納部１５の上部は、前方ほど高くなる斜面状に形成されており、下部は、前方ほど低くなる斜面状に形成されている。第２収納部１５の上部の斜面状部分の中間部には、左右方向に延びるファスナーが取り付けられ、第２収納部１５内に小物を収納できるように構成されている。なお、図４は、第２収納部１５、及び蓋部２０について説明する模式図であり、肩ベルト３０等、構成部材のいくつかを省略した図としている。
【００２０】
本実施形態の第２収納部１５は、バックパックを背負ったときに潰れない程度の硬度を有しているとともに、適度な柔軟性を有している。このため、内部に物が収納されていない状態であっても、後方壁１２ｂから後方へ突出している形状を保持することができる。また、使用者の背中に当たったときのフィット感に優れている。
【００２１】
図１（ａ）に示すように、後方壁１２ｂの外面上部には、バックパックを背負ったときに使用者の背中に当接する背当て部１４が左右一対設けられている。背当て部１４は、後方壁１２ｂから後方へ突出しているとともに、所定間隔をもって、左右方向に延びる溝１４ａが凹設されている。図４（ａ）に示すように、背当て部１４は、後方壁１２ｂの下部に行くほど後方への突出量が多くなるように形成されている。背当て部１４は、発泡ポリウレタンフォーム等の柔軟性を有する材質で形成されており、背負ったときに使用者の背中にフィットしやすく構成されている。
【００２２】
図１（ａ）に示すように、後方壁１２ｂの外面上部であって、一対の背当て部１４に挟まれた位置には、蓋部２０の先端部に設けられた後述する係止部２３と係止して蓋部２０と閉じた状態とする被係止部１２ｅが設けられている。本実施形態では、係止部２３と被係止部１２ｅは、公知のバックル等の係止部材で構成されている。
【００２３】
図１（ｂ）に示すように、後方壁１２ｂの外面上端部であって、一対の背当て部１４に挟まれた位置には、壁や机のフック等に掛けられるようにするための掛止部４０が設けられている。本実施形態では、掛止部４０は合成樹脂製のベルト状の布帛が、その両端部で後方壁１２ｂに接合されている。
【００２４】
図１（ａ）、（ｂ）に示すように、一対の側方壁１２ｃの外面下部には、それぞれ、小物を収納可能な脇ポケット１６が設けられている。脇ポケット１６は、前後方向及び下方の３方が閉じられ、上方に向かって開口した形状となっている。
【００２５】
図２（ｂ）に示すように、前方壁１２ａの外面には、小物を収納可能な第４収納部１７が設けられている。第４収納部１７は、その上部から側部にかけて設けられたファスナー１７ａによって開閉可能とされている。第４収納部１７の前面には、使用者の氏名が記入された紙片が挿入できる氏名記入部１７ｂが設けられている。
【００２６】
図１、図２に示すように、第１収納部１０の上下方向の中間部であって、後方壁１２ｂと側方壁１２ｃとの境界部分には、蓋部２０に設けられた後述するベルト留め具２４と係合して蓋部２０を所定の状態に保持する収納部側調節ベルト１８が設けられている。収納部側調節ベルト１８は、各側方壁１２ｃと後方壁１２ｂとの境界部分のそれぞれに設けられている。
【００２７】
図２（ｂ）に示すように、本実施形態の蓋部２０は、第１収納部１０の底壁１１と前方壁１２ａとの境界部分に接合されている。蓋部２０の左右方向の幅は、第１収納部１０の左右方向の幅と同一か、やや大きく形成されている。また、蓋部２０の長さは、第１収納部１０に対する接合位置から後方壁１２ｂの上縁に至るまでの長さより若干長く形成されている。ここで、図１に示すように蓋部２０が開口部１３を閉じた状態で、外に露出している面を蓋部２０の外面２０ａと言い、露出していない面を蓋部２０の内面２０ｂと言うものとする。
【００２８】
図１（ｂ）に示すように、蓋部２０の外面２０ａには、全面に亘って左右方向に延びる衝撃吸収部２１が設けられている。衝撃吸収部２１は、発泡ポリウレタンフォーム等の柔軟性を有する材質で形成されており、外部からの衝撃が蓋部２０に加わったときに、第１収納部１０、第２収納部１５等に収納された物を保護することができる。
【００２９】
図２（ｂ）に示すように、蓋部２０の内面２０ｂの先端側には、蓋部２０の略半分の大きさの蓋ポケット２２が設けられている。蓋ポケット２２は、透明樹脂シートを蓋部２０の両端部及び先端部で一体に縫合することにより形成されており、基端部には水平方向に延びる布帛を介してファスナー２２ａが設けられている。蓋ポケット２２には、例えば小学校で学習する１週間の時間割等を入れることができる。
【００３０】
蓋部２０の先端の左右方向中間位置には、後方壁１２ｂの上部に設けられた被係止部１２ｅと係止して蓋部２０を閉塞する係止部２３が設けられている。また、蓋部２０の左右縁であって長さ方向中間位置には、第１収納部１０に設けられた収納部側調節ベルト１８と係合するベルト留め具２４が設けられている。本実施形態のベルト留め具２４は、ベルト状の部材を掛止できる公知の環形状の部材としている。
【００３１】
図１に示すように、蓋部２０の係止部２３が後方壁１２ｂの被係止部１２ｅと係止しているとき、蓋部２０が開口部１３を閉じる全閉状態となる。図２（ａ）に示すように、収納部側調節ベルト１８とベルト留め具２４が係合しているとき、蓋部２０が前方壁１２ａの途中で保持される半開状態となる。図２（ｂ）に示すように、収納部側調節ベルト１８とベルト留め具２４との係合状態が解除されているとき、前方壁１２ａ全体が露出される全開状態となる。
【００３２】
図２（ｂ）、図４に示すように、蓋部２０の左右縁の内部には、長さ方向に延びる付勢部材２５が挿入されている。具体的には、蓋部２０の芯材としてのウレタンシートに、細長い板状の樹脂素材である付勢部材２５が接合されており、ウレタンシートとともにポリアミド樹脂からなる布帛で被覆されて蓋部２０が構成されている。図２（ｂ）に示すように、付勢部材２５は蓋部２０に設けられたベルト留め具２４に隣接する位置で、蓋部２０の長さ方向に延びるように挿入されている。
【００３３】
図４（ａ）に矢印で示すように、この付勢部材２５は、蓋部２０の上部が前方へ反るように付勢するための部材である。そのため、図４（ｂ）に示すように、蓋部２０先端の係止部２３と後方壁１２ｂの被係止部１２ｅとの係止状態を解除すると、蓋部２０は、矢印で示すように前方へ付勢されて開口部１３を開口する方向に移動し、蓋部２０を半開状態に保持する。
【００３４】
図１（ａ）に示すように、肩ベルト３０は、一方端が後方壁１２ｂの上端部に接合されたベルト本体３１と、一方端が側方壁１２ｃの下端部に接合された調節用ベルト３２で構成されている。ベルト本体３１の他方端には公知の環状バックルが取り付けられ、調節用ベルト３２の他方端を環状バックルに挿し込んで長さ調整することができる。
【００３５】
図１（ｂ）に示すように、ベルト本体３１の裏面（ここでは、背負ったときに使用者の方に当たる側を裏面と言い、当たらない側を表面と言うものとする。）には、肩当て部３３が形成されている。肩当て部３３は、発泡ポリウレタンフォーム等の柔軟性を有する材質で形成されており、背負ったときに肩から上腕部にかけてフィットしやすくなり、肩への負担を和らげる。また、肩当て部３３には、ベルト本体３１の幅方向に延びる溝３３ａが形成されている。
【００３６】
図３に示すように、ベルト本体３１が後方壁１２ｂに接合される接合部位３１ａを跨いだ領域には、芯材としての補強部３５が挿入されている。補強部３５は、ベルト本体３１の芯材としてのウレタンシートに接合されているとともに、第１収納部１０の芯材としての樹脂板材に接合されている。補強部３５は、硬質の合成樹脂製板材で形成されており、接合部位３１ａを跨いで、ベルト本体３１の一端部から後方壁１２ｂの上端部にかけた領域に挿入されている。そのため、ベルト本体３１は後方壁１２ｂから上方へ向かって立ち上がるように保持されている。
【００３７】
図１（ｂ）に示すように、後方壁１２ｂの上端部には、バックパックを壁や机に掛けるための掛止部４０が設けられている。
次に、本実施形態のバックパックの作用について説明する。
【００３８】
本実施形態のバックパックでは、蓋部２０の一端部が第１収納部１０の前方壁１２ａ下端部に接合されているとともに、蓋部２０の他端部に係止部２３が設けられている。また、第１収納部１０の被係止部１２ｅは、第１収納部１０の後方壁１２ｂの外面上端部に設けられている。そのため、蓋部２０の係止部２３を後方壁１２ｂの被係止部１２ｅに係止すると、開口部１３が閉塞される。このとき、第１収納部１０の側方壁１２ｃの上縁は、上方へ向かって丸みを帯びて突出する曲線状に形成され、軟質のウレタンシートを芯材とする蓋部２０は柔軟性を有しているため、蓋部２０は側方壁１２ｃの上縁に沿うように開口部１３を閉塞する。
【００３９】
また、側方壁１２ｃには、内方へ向かう延出壁１２ｄが形成されている。そして、蓋部２０の幅は第１収納部１０の左右方向の幅と同一かやや大きく形成され、蓋部２０の長さは第１収納部１０との接合位置から後方壁１２ｂの上縁に至るまでの長さより若干長く形成されている。そのため、蓋部２０が開口部１３を閉塞した状態では、開口部１３全体が蓋部２０で覆われ、開口部１３と蓋部２０との間に隙間が生じることが抑制される。
【００４０】
第１収納部１０の後方壁１２ｂの外面上端部には、壁等のフックに掛けるための掛止部４０が設けられている。そのため、バックパックを壁のフックに掛けると、バックパックの後方壁１２ｂが壁に接し、バックパックの前方壁１２ａが壁とは反対側に来る。この状態で物を出し入れする場合には、使用者はバックパックの前方壁１２ａに向き合って立ち、第１収納部１０の後方壁１２ｂ側に手を伸ばして係止部２３と被係止部１２ｅとの係止状態を解除する。このとき、蓋部２０は壁とは反対側に開放される。また、蓋部２０の左右縁の内部に挿入された付勢部材２５により、蓋部２０は開放方向に付勢される。そのため、係止部２３と被係止部１２ｅとの係止状態を解除すると、蓋部２０はバックパックが掛けられた壁とは反対側に向かって付勢されつつ開放され、蓋部２０は開放状態に保持される。
【００４１】
蓋部２０には、長さ方向中間位置にベルト留め具２４が設けられ、第１収納部１０に設けられた収納部側調節ベルト１８と係合している。蓋部２０を開放した場合であって、かつ、ベルト留め具２４と収納部側調節ベルト１８とが係合状態にあるときには、蓋部２０は半開状態に保持される。蓋部２０を開放した場合であって、かつ、ベルト留め具２４と収納部側調節ベルト１８との係合状態が解除されているときには、蓋部２０は全開状態に保持される。
【００４２】
肩ベルト３０のベルト本体３１が後方壁１２ｂに接合される接合部位３１ａを跨いだ領域には、硬質の合成樹脂製板材である補強部３５が挿入されている。補強部３５は、接合部位３１ａを跨いで、ベルト本体３１の一端部から後方壁１２ｂの上端部にかけた領域に挿入されて、ベルト本体３１を後方壁１２ｂから上方へ向かって立ち上がるように保持している。そのため、図５（ａ）に示すように、肩ベルト３０が使用者の背中から肩にかけてのラインに沿いやすくなり、バックパックと使用者の背中との間に隙間が生じにくい。一方、図５（ｂ）に示すような従来のランドセルでは、使用者の背中との間に隙間が生じやすく、その分重心が使用者の後側に偏りやすくなって使用感が悪い。
【００４３】
第１収納部１０の後方壁１２ｂの外面下部には、後方へ突出する形状の第２収納部１５が設けられている。第２収納部の上部は、前方ほど高くなる斜面状に形成され、下部は前方ほど低くなる斜面状に形成されている。そして、バックパックを背負ったときに潰れない程度の硬度を有している。また、後方壁１２ｂの外面上部には、後方へ突出する形状の背当て部１４が左右一対設けられている。背当て部１４は、後方壁１２ｂの下部に行くほど後方への突出量が多くなるように形成されている。そのため、図５（ａ）に示すように、バックパックを背負ったときには、第２収納部１５がその形状を保持したまま背中の曲面形状（背骨の曲線形状）に沿うようにフィットする。また、背当て部１４も背中の曲面形状に沿うようにフィットする。一方、図５（ｂ）に示すような従来のランドセルでは、その後端部が、背中の曲面形状の窪んだ部分で支えられるような状態となり、その分重心が使用者の後側に偏りやすくなって使用感が悪い。
【００４４】
バックパックを背負ったときには、第１収納部１０の後方壁１２ｂに設けられた背当て部１４と、肩ベルト３０のベルト本体３１に設けられた肩当て部３３が、使用者の背中から肩前方にかけて当たることになる。
【００４５】
次に、本実施形態のバックパックの効果について述べる。
（１）本実施形態のバックパックでは、蓋部２０に設けられた係止部２３が、第１収納部１０の後方壁１２ｂの外面上端部に設けられた被係止部１２ｅと係止されて開口部１３を閉塞し、係止状態を解除されて開口部１３を開放する。また、第１収納部１０の後方壁１２ｂの外面上端部には、壁等のフックに掛けるための掛止部４０が設けられている。
【００４６】
そのため、バックパックが壁のフックに掛けられた状態で物を出し入れする場合には、壁側に位置する後方壁１２ｂに手を伸ばして係止部２３と被係止部１２ｅとの係止状態を解除すると、蓋部２０は壁とは反対側に開放される。壁の方向に開放される従来のランドセルでは、蓋を手で支持する等していないと開口部を塞いてしまうが、壁が存在しない方向に蓋部２０が開放される本実施形態のバックパックでは、蓋部を支持することなく物の出し入れができるため便利である。操作性を向上させることができる。
【００４７】
（２）本実施形態のバックパックでは、蓋部２０の左右縁の内部に挿入された付勢部材２５により、蓋部２０は開放方向に付勢される。そのため、係止部２３と被係止部１２ｅとの係止状態を解除すると、蓋部２０は開放状態となるように上端部が回動し、開放状態に到るとそのまま保持される。操作性に優れたバックパックが得られる。
【００４８】
（３）本実施形態のバックパックでは、蓋部２０が柔軟性を有し、蓋部２０で開口部１３を閉塞したときに、蓋部２０と開口部１３との間に隙間が形成されないようにされている。そのため、第１収納部１０内に雨水が入ったり、埃やごみ等が入ったりすることが抑制される。
【００４９】
（４）図５（ｂ）に示すような従来のランドセルでは、後方壁が平面状となっているため後方壁の下端部が背中の窪んだ部分で支えられるような状態となる。そうすると、ランドセルの上部が背中から離れる方向へ傾きやすい。さらに、収納された教科書等も同方向に傾きやすくなり、ますますランドセルの上部が背中から離れる方向へ付勢され、使用者には背後へ傾きそうな力が付与されて安定しない。
【００５０】
これに対して本実施形態のバックパックでは、図５（ａ）に示すように、第２収納部１５が背骨の曲線形状（背中の曲面形状）に沿う外面形状に形成されている。そのため、バックパックを背負ったときに第２収納部１５が背中の曲面形状にフィットし、バックパックの位置を安定して保持することができる。バックパックの上部が背中から離れる方向に傾きにくく、収納された教科書等も安定して内部に保持される。安定性に優れている。
【００５１】
（５）本実施形態のバックパックでは、図４（ａ）に示すように、背当て部１４は、後方壁１２ｂの下部に行くほど後方への突出量が多くなるように形成されている。そのため、図５（ａ）に示すように、背中の曲面形状に沿いやすく、バックパックを背負ったときにバックパックの位置を安定して保持することができる。
【００５２】
（５）本実施形態のバックパックでは、肩ベルト３０のベルト本体３１が後方壁１２ｂに接合される接合部位３１ａには、硬質の合成樹脂製板材である補強部３５が挿入されている。補強部３５は、ベルト本体３１を後方壁１２ｂから上方へ向かって立ち上がるように保持しているため、図５（ａ）に示すように、肩ベルト３０が使用者の背中から肩にかけてのラインに沿いやすくなり、バックパックと使用者の背中との間に隙間が生じにくい。この点からも、バックパックの上部が背中から離れる方向は傾きにくく、安定性に優れている。
【００５３】
（６）本実施形態のバックパックでは、第２収納部１５が後方壁１２ｂに設けられている。そのため、バックパックの重心位置を使用者の背中寄りとすることができる。バックパックが背中から離れる方向は傾きにくく、安定性に優れている。
【００５４】
（７）本実施形態のバックパックでは、肩ベルト３０がベルト本体３１と調節用ベルト３２とで構成され、長さを適宜調整することができる。そのため、使用者の体格に合わせて肩ベルト３０の長さを調整し、図５（ａ）に示すように、第２収納部１５が背中の曲面形状にフィットする位置としたり、肩ベルト３０が背中に沿わせるようにしたりすることが容易にできる。操作性を向上させることができる。
【００５５】
（８）本実施形態のバックパックでは、第２収納部１５が柔軟性のある素材で形成されているため、背中への当たりが柔らかい。また、後方壁１２ｂの上部に設けられた背当て部１４は、発泡ポリウレタンフォーム等の柔軟性を有する材質で形成されている。そのため、背中へのフィット性に優れ、安定して保持することができる。
【００５６】
（９）また、肩ベルト３０の裏面には、発泡ポリウレタンフォーム等の柔軟性を有する材質で形成された肩当て部３３が設けられている。そのため、肩へのフィット性に優れたバックパックとなる。
【００５７】
（１０）本実施形態のバックパックでは、背当て部１４に溝１４ａが設けられ、肩当て部３３に溝３３ａが設けられている。そのため、背負った状態であっても背中に当接しない部分が形成されて、背中との間に隙間が形成され、通気性を確保することができる。また、溝３３ａが設けられていることによって背当て部１４での屈曲性が良好となり、使用者の背中の曲面形状に沿いやすくなる。こうした点は、肩当て部３３の溝３３ａも同様であり、通気性が確保できるとともに使用者の肩に沿いやすくなる。通気性とフィット性とに良好なバックパックが得られる。
【００５８】
（１１）本実施形態のバックパックでは、蓋部２０の長さ方向中間位置にベルト留め具２４が設けられ、第１収納部１０に設けられた収納部側調節ベルト１８と係合している。そのため、開口部１３が開放された場合に蓋部２０を半開状態に保持することが可能となる。また、係合状態を解除すれば全開状態とすることができる。通常は半開状態とし、第１収納部１０の前方壁１２ａに設けられた第４収納部１７や、蓋部２０に形成された蓋ポケット２２に物を出し入れする場合等には、全開状態とすればよい。汎用性を向上させることができる。
【００５９】
（１２）また、ベルト留め具２４に対する収納部側調節ベルト１８の係合位置を調整することにより、第１収納部１０の前後方向の厚みを調整することができる。汎用性、収納性を向上させることができる。
【００６０】
（１３）本実施形態のバックパックでは、第１収納部１０以外に、後方壁１２ｂに設けられた第２収納部１５、前方壁１２ａに設けられた第４収納部１７、側方壁１２ｃに設けられた脇ポケット１６、蓋部２０に設けられた蓋ポケット２２を有している。各収納部１５、１７、各ポケット１６、２２を利用して教材等、小物等を収納することができる。収納性に優れたバックパックが得られる。
【００６１】
（１４）本実施形態のバックパックでは、蓋部２０に衝撃吸収部２１が設けられている。そのため、外部からの衝撃が蓋部２０に加わったときに、第１収納部１０、第２収納部１５等に収納された物を保護することができる。
【００６２】
上記実施形態は以下のように変更してもよく、また、これらの変更例を適宜組み合わせて適用してもよい。
・  本実施形態では、蓋部２０を閉塞するための係止構造として、後方壁１２ｂの上端部に設けられた被係止部１２ｅに、蓋部２０に設けられた係止部２３を係止する構造としたが、被係止部１２ｅの配設箇所はこれに限定されない。図６（ａ）に示すように、蓋部２０の先端より少し基端寄りの位置に係止部２３を設け、ベルト本体３１の上端部に設けられた被係止部３６と係止するようにしてもよい。この位置に係止部２３及び被係止部３６を設けることで、図６（ｂ）に示すように、ベルト本体３１が後方壁１２ｂから上方へ向かって立ち上がるように保持しやすくなる。そのため、肩ベルト３０が背中に沿いやすくなり、フィット性が向上する。
【００６３】
・  本実施形態では、蓋部２０が、第１収納部１０の底壁１１と前方壁１２ａとの境界部分に接合されるようにしたが、蓋部２０の接合箇所はこれに限定されない。例えば、底壁１１の外面に接合されていてもよく、底壁１１と後方壁１２ｂとの境界部分に接合されてもよい。また、前方壁１２ａに接合されていてもよく、後方壁１２ｂに接合されていてもよい。例えば、後方壁１２ｂに接合されている場合には、蓋部２０を後方壁１２ｂの上端部に係止して全閉状態とすると、蓋部２０は、後方壁１２ｂ、底壁１１、前方壁１２ａを被覆するとともに開口部１３を閉塞することになる。
【００６４】
・  蓋部２０を第１収納部１０の後方壁１２ｂに係止するための係止構造は、本実施形態のように１箇所に設けることもできるし、図６（ａ）に示すように２箇所に設けることもできるし、３箇所以上に設けることもできる。
【００６５】
・  本実施形態では、小物を入れる部分として、第２収納部１５、第４収納部１７、脇ポケット１６、蓋ポケット２２を設けた。これら以外にも第１収納部１０内外を問わず、収納部、ポケット等を設けることができる。例えば、図７に示すように、肩ベルト３０のベルト本体３１の表面に、第３収納部３４を設けてもよい。第３収納部３４は上部のみが開放された形状としてもよく、また、いずれかの場所にファスナー、面ファスナー、スナップ等を設けて閉塞可能としてもよい。ベルト本体３１に第３収納部３４を設けることで、バックパックを背負ったままであっても小物を取り出すことができる。第３収納部３４に、例えば小銭入れ、定期券、携帯電話等を入れておけば利便性が向上する。収納性、操作性、利便性を向上させることができる。
【００６６】
・  補強部３５は、ベルト本体３１と後方壁１２ｂとの接合部位３１ａを跨いで、ベルト本体３１の一端部から後方壁１２ｂの上端部にかけた領域に挿入されている。補強部３５の長さについては特に限定されない。接合部位３１ａを跨いで挿入されていれば、ベルト本体３１が立ち上がるように補強することができる。
【００６７】
・  第２収納部１５は、上部が前方ほど高くなる斜面状とし、下部が前方ほど低くなる斜面状としたが、この形状に限定されない。上部、下部とも斜面状としなくてもよく、一方のみを斜面状としてもよい。バックパックを背負ったときに背中の曲面形状に沿うような形状であることが好ましいが、後方壁１２ｂから後方へ突出して使用者の背中に当たるような形状であればよい。また、第２収納部１５を省略することもできる。
【００６８】
・  本実施形態のバックパックでは、第２収納部１５は背負ったときに潰れない程度の硬度を有しているが、これに限定されない。硬度を低くしてもよい。この場合であっても、潰された形状の第２収納部１５が背中の曲面形状の窪みに入り込むようにすれば、バックパックが傾きにくくなり、使用者が背後に引っ張られるような状態となりにくい。
【００６９】
また、第２収納部１５は適度な柔軟性を有するようにしたが、柔軟性を有しなくてもよい。
・  第２収納部１５の上部には、左右方向に延びるファスナーを取り付けて、第２収納部１５内に小物を収納できるように構成したが、第２収納部１５を開閉可能とする構成であればファスナーに限定されない。スナップであっても面ファスナーであってもよい。
【００７０】
・  第２収納部１５に取付けられたファスナーやファスナーの引き手部分を被覆する構造を設けてもよい。例えば、第２収納部１５の外面にファスナーや引き手部分を被覆する部材を縫合すればよい。こうすると、バックパックを背負った際に、第２収納部１５のファスナーや引き手部分が背中に当たらなくなり、フィット性が向上する。
【００７１】
・  第２収納部１５、第３収納部３４、第４収納部１７、脇ポケット１６、蓋ポケット２２等を着脱可能としてもよい。
・  本実施形態のバックパックでは、後方壁１２ｂの外面上部に背当て部１４を左右一対設けたが、これに限定されない、例えば、後方壁１２ｂの外面上部全体に背当て部１４を設けてもよく、或いは、第２収納部１５の後面に背当て部に相当する部材を取り付けてもよい。また、背当て部１４を省略することもできる。
【００７２】
・  背当て部１４は、後方壁１２ｂの下部に行くほど後方への突出量が多くなるような形状で、後方壁１２ｂから後方へ突出して形成したが、この形状に限定されない。公報への突出量は、背当て部１４全体の後方への突出量を同じにしてもよく、上下方向中間部分の突出量を多くしてもよい。
【００７３】
・  本実施形態のバックパックでは、肩ベルト３０の調節用ベルト３２が、側方壁１２ｃの下端部に接合されているが、接合位置はこれに限定されない。底壁１１の外面、つまり、第１収納部１０の底部に接合されていてもよい。また、後方壁１２ｂに接合されていてもよい。
【００７４】
・  肩ベルト３０のベルト本体３１には肩当て部３３を設けたが、これを省略することもできる。
・  背当て部１４には溝１４ａを形成し、肩当て部３３には溝３３ａを形成して、背負ったときの通気性、フィット性を確保する構成とした。溝１４ａ、３３ａは溝形状に限らずその形状は特に限定されない。背当て部１４、肩当て部３３が使用者に当接しない部分を有することで通気性、フィット性を確保できればよく、何らかの凹部が形成されていればよい。また、溝１４ａ、３３ａを省略してもよい。
【００７５】
・  本実施形態の第１収納部１０は、前方壁１２ａが、後方壁１２ｂより低く形成し、側方壁１２ｃの上縁が、前方壁１２ａの上縁における左右の端部と後方壁１２ｂの上縁における左右の端部との各間を繋ぐように、上方に向かって丸みを帯びて突出する曲線状としたが、第１収納部１０の形状はこれに限定されない。前方壁１２ａと後方壁１２ｂとが同じ高さであってもよく、前方壁１２ａが後方壁１２ｂより高くてもよい。また、側方壁１２ｃの上縁が曲線状でなくてもよい。
【００７６】
・  本実施形態のバックパックでは、第１収納部１０の各側壁１２の上縁を開口部１３としたが、側壁１２の上縁以外に開口部を設けてもよい。例えば、側方壁１２ｃにファスナー等で開閉可能な開口部を設けると、蓋部２０を閉塞した状態で物を出し入れすることができる。
【００７７】
・  本実施形態のバックパックでは、蓋部２０の左右縁の内部に、蓋部２０の長さ方向に延びる付勢部材２５を挿入して、蓋部２０が開放方向に付勢されるようにした。付勢部材２５の配設位置、形状、大きさ等は特に限定されない。蓋部２０の中央部分の内部に矩形板状の付勢部材を挿入してもよく、中央部分の内部に細い板状の付勢部材を挿入してもよい。或いは、蓋部２０の外部に取り付けてもよい。
【００７８】
また、付勢部材２５の個数も特に限定されない。２箇所である必要はなく、１箇所であっても３箇所以上であってもよい。
・  本実施形態の付勢部材２５は樹脂素材としたが、蓋部２０を開放方向に付勢するものであればその材質は特に限定されない。また、付勢部材２５を省略することもできる。
【００７９】
・  本実施形態では、蓋部２０が開放方向に付勢される構成として、蓋部２０に付勢部材２５を挿入する構成としたが、蓋部２０が開放方向に付勢される構成はこれに限定されない。例えば、蓋部２０に設けられた衝撃吸収部２１の位置を調整することにより蓋部２０が開放方向に付勢されるようにしてもよい。図４（ａ）に示すように、衝撃吸収部２１は、蓋部２０の他の部分より肉厚に形成されていることから、衝撃吸収部２１がベルト留め具２４の位置の上方近傍の位置に形成されないようにすると、蓋部２０は衝撃吸収部２１が形成されていない部分で開放方向に向かって曲がりやすくなる。これにより、蓋部２０の係止が解除された際に、蓋部２０は開放方向に移動しやすくなる。また、こうした構成は、ベルト留め具２４の取付け位置を調整することによっても実現することもできる。
【００８０】
・  バックパックの所定箇所に防犯ブザー等を取付可能なフックを設けることもできる。
・  本実施形態のバックパックでは、第２収納部１５、第４収納部１７で、その上部から側部にかけて延びるファスナーを取り付けて開閉可能とした。また、脇ポケット１６は、前後方向及び下方の３方が閉じられ、上方に向かって開口した形状とした。さらに、蓋ポケット２２は、蓋部２０の幅方向に延びるファスナー２２ａを取り付けて開閉可能とした。しかし、各収納部１５、１７、各ポケット１６、２２の開口方向はこれに限定されない。例えば、側方を開口させて物を出し入れするような構成としてもよい。
【符号の説明】
【００８１】
１０…第１収納部、１１…底壁、１２…側壁、１２ｅ…被係止部、１３…開口部、１４…背当て部、１５…第２収納部、１７…第４収納部、１８…収納部側調節ベルト、２０…蓋部、２３…係止部、２４…ベルト留め具、２５…付勢部材、３０…肩ベルト、３１…ベルト本体、３２…調節用ベルト、３３…肩当て部、３４…第３収納部、３５…補強部、３６…被係止部、４０…掛止部。
【図１】
2018102583.tif 000003
【図２】
2018102583.tif 000004
【図３】
2018102583.tif 000005
【図４】
2018102583.tif 000006
【図５】
2018102583.tif 000007
【図６】
2018102583.tif 000008
【図７】
2018102583.tif 000009
【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
底壁と複数の側壁を有し、前記複数の側壁の上縁によって開口部が形成された第１収納部と、
前記開口部を開放或いは閉塞可能とする蓋部と、
背負い用の肩ベルトと、を備えたバックパックであって、
前記蓋部の基端部は、前記第１収納部に接合されているとともに、前記蓋部の先端部は、前記複数の側壁のうちの後方側の側壁の上端部に係止可能とされており、
前記蓋部は、前記後方側の側壁の上端部に係止されることにより、前記複数の側壁のうちの前記前方側の側壁を被覆するとともに前記開口部を閉塞することを特徴とするバックパック。
【請求項２】
底壁と複数の側壁を有し、前記複数の側壁の上縁によって開口部が形成された第１収納部と、
前記開口部を開放或いは閉塞可能とする蓋部と、
背負い用の肩ベルトと、を備えたバックパックであって、
前記肩ベルトは、前記第１収納部の上端部と下端部との間に架け渡されるように前記第１収納部の上端部及び下端部に接合されており、
前記蓋部の基端部は、前記第１収納部に接合されているとともに、前記蓋部の先端部は、前記肩ベルトの上端部に係止可能とされており、
前記蓋部は、前記肩ベルトの上端部に係止されることにより、前記複数の側壁のうちの前方側の側壁を被覆するとともに前記開口部を閉塞することを特徴とするバックパック。
【請求項３】
前記蓋部には、該蓋部を前記第１収納部の上端部から離間するように付勢する付勢部材が設けられている請求項１又は２に記載のバックパック。
【請求項４】
前記肩ベルトは、前記第１収納部の上端部と下端部との間に架け渡されるように前記第１収納部の上端部及び下端部に接合されており、
前記第１収納部の上端部における前記肩ベルトの接合位置を跨いだ領域には、前記肩ベルトが立ち上がるように補強する補強部が設けられている請求項１〜３のいずれか一項に記載のバックパック。
【請求項５】
前記後方側の側壁には、該後方側の側壁から後方に突出するように第２収納部が設けられている請求項１〜４のいずれか一項に記載のバックパック。
【請求項６】
底壁と複数の側壁を有し、前記複数の側壁の上縁によって開口部が形成された第１収納部と、
前記開口部を開放或いは閉塞可能とする蓋部と、
背負い用の肩ベルトと、を備えたバックパックであって、
前記複数の側壁のうちの後方側の側壁には、該後方側の側壁から後方に突出するように第２収納部が設けられていることを特徴とするバックパック。
【請求項７】
前記第２収納部の上部は、前方ほど高くなる斜面状に形成されている請求項５又は６に記載のバックパック。
【請求項８】
前記第２収納部の下部は、前方ほど低くなる斜面状に形成されている請求項５〜７のいずれか一項に記載のバックパック。
【請求項９】
前記第２収納部には、該第２収納部を開閉可能なファスナーが設けられているとともに、前記ファスナーの引き手部分を被覆する構造が設けられている請求項５〜７のいずれか一項に記載のバックパック。
【請求項１０】
前記肩ベルトには第３収納部が設けられている請求項１〜９のいずれか一項に記載バックパック。
【請求項１１】
底壁と複数の側壁を有し、前記複数の側壁の上縁によって開口部が形成された第１収納部と、
前記開口部を開放或いは閉塞可能とする蓋部と、
背負い用の肩ベルトと、を備えたバックパックであって、
前記肩ベルトには第３収納部が設けられていることを特徴とするバックパック。
【請求項１２】
前記第３収納部は、前記肩ベルトに着脱可能に設けられている請求項１０又は１１に記載のバックパック。
【手続補正２】
【補正対象書類名】明細書
【補正対象項目名】００７２
【補正方法】変更
【補正の内容】
【００７２】
・  背当て部１４は、後方壁１２ｂの下部に行くほど後方への突出量が多くなるような形状で、後方壁１２ｂから後方へ突出して形成したが、この形状に限定されない。後方への突出量は、背当て部１４全体の後方への突出量を同じにしてもよく、上下方向中間部分の突出量を多くしてもよい。